Podtech/llm-jp-corpus-v4-ja_patent huggingface dataset:
【手続補正書】
【提出日】令和2年3月24日(2020.3.24)
【手続補正１】
【補正対象書類名】特許請求の範囲
【補正対象項目名】全文
【補正方法】変更
【補正の内容】
【特許請求の範囲】
【請求項１】
コンピュータにより実装される方法であって、Ｘ線造形成系から取り込まれた解剖学的ひずみを修正するために前記方法を実施するように可読プログラムコードにより構成されるプロセッサにより実行され、
少なくとも１つの解剖学的標識を選択して寸法付きグリッドのデジタル表現に少なくとも１つのグリッドインジケータを提供することにより、前記寸法付きグリッドのデジタル表現に患者の解剖学的構造の術中像をレジストレーションするステップと、
患者の解剖学的構造の前記像に対して前記寸法付きグリッドのデジタル表現を較正して較正後の寸法付きグリッドを提供するステップと、
患者の解剖学的構造の前記像のひずみに合わせて修正するように前記較正後の寸法付きグリッドのデジタル表現を変形し、変形された較正後の寸法付きグリッド像を生成するステップと、
前記変形された較正後の寸法付きグリッド像を参照して、前記患者の解剖学的構造の術中像を術中に表示するステップと、
を含む方法。
【請求項２】
変形場が、シンプレートスプラインを使用して、前記少なくとも１つの解剖学的標識から算出される、
請求項１に記載の方法。
【請求項３】
前記術中像をレジストレーションするステップが、アフィン変換と前記変形場とを使用して、前記寸法付きグリッドのデジタル表現の前記少なくとも１つの解剖学的標識を、ひずみ較正アレイ像内の少なくとも１つの解剖学的標識と位置合わせするステップをさらに含む、
請求項２に記載の方法。
【請求項４】
前記変形された較正後の寸法付きグリッド像を基準として、患者の解剖学的構造の前記像内における対象点を術中に算出するステップをさらに含む、
請求項１に記載の方法。
【請求項５】
前記寸法付きグリッド像に解剖学的像をレジストレーションする前に、少なくとも１つの解剖学的標識の選択を自動的に受信するステップをさらに含む、
請求項１に記載の方法。
【請求項６】
ユーザに対して術中に少なくとも１つの視覚的または聴覚的教示を提供するステップをさらに含む、
請求項１に記載の方法。
【請求項７】
少なくとも１つの解剖学的標識を選択して第２の解剖学的像のための少なくとも１つのグリッドインジケータを提供するステップをさらに含む、
請求項１に記載の方法。
【請求項８】
前記患者の前記解剖学的構造に適合するように、変形場の適用によりリアルタイムで前記少なくとも１つのグリッドインジケータを前記第２の解剖学的像に適応させることを含む、
請求項７に記載の方法。
【請求項９】
前記少なくとも１つの解剖学的標識を選択するステップは、複合現実と拡張現実とホログラフィック装置とからなる群から選択される装置から、ユーザからの入力を受信するステップを含む、
請求項１に記載の方法。
【請求項１０】
アプリケーションソフトウェアを形成するコンピュータ可読命令を使用して符号化された非一時的なコンピュータ可読記憶媒体と、前記命令を処理するプロセッサと、を備えるデジタルグリッドひずみ較正アレイを使用した術中システムであって、
前記アプリケーションソフトウェアが、像形成装置により術中に捕捉された患者のデジタル放射線像を取り込みおよび記憶するように構成されたデータ取り込みモジュールと、
前記デジタルグリッドに解剖学的像をレジストレーションし、前記デジタルグリッドのデジタル表現を前記患者の解剖学的像に合わせて較正して、較正後のデジタルグリッドを提供するように構成されたグリッドレジストレーションモジュールと、
前記解剖学的像内のひずみに合わせて修正するように前記デジタルグリッドのデジタル表現を変形させるように構成されたひずみ適応モジュールと、
ユーザに少なくとも１つの教示を術中に提供するように構成され、前記変形された較正後のデジタルグリッド像を参照して、前記患者の解剖学的構造の解剖学的像を術中に表示する結果モジュールと、を含む、デジタルグリッドひずみ較正アレイを使用した術中システム。
【請求項１１】
少なくとも１つの解剖学的標識のために、連続した解剖学的像のために、自動的に選択するように構成された自動区分モジュールをさらに含む、
請求項１０に記載のシステム。
【請求項１２】
較正グリッドをさらに備える、
請求項１１に記載のシステム。
【請求項１３】
前記較正グリッドは、点と線とからなる群から選択される、
請求項１２に記載のシステム。
【請求項１４】
前記結果モジュールは、複合現実のグリッドと拡張現実のグリッドとホログラフィックのグリッドとからなる群から選択されるデジタルグリッドを備える、
請求項１１に記載のシステム。
【請求項１５】
前記データ取り込みモジュールは、検出器からデータを取得するように構成される、
請求項１１に記載のシステム。
【請求項１６】
前記検出器は、複合現実グリッドと拡張現実グリッドとホログラフィックグリッドとからなる群から選択されるグリッドと電子的に通信する、
請求項１５に記載のシステム。
【請求項１７】
前記結果モジュールは、複合現実表示装置と拡張現実表示装置とホログラフィック表示装置とからなる群から選択される表示装置を備える、
請求項１１に記載のシステム。
【請求項１８】
前記較正後の寸法付きグリッドのデジタル表現を変形するステップが、前記解剖学的像内の定量的ゆがみ量を、グリッドの対応する変形像と一致させることを含む、請求項１に記載の方法。
【手続補正書】
【提出日】令和2年2月18日(2020.2.18)
【手続補正１】
【補正対象書類名】特許請求の範囲
【補正対象項目名】全文
【補正方法】変更
【補正の内容】
【特許請求の範囲】
【請求項１】
獲得されたコンテンツが各ユーザに対応付けて設定されたユーザ情報を記憶するユーザ情報記憶手段と、
ユーザの抽選操作に応答して、特定コンテンツを含む複数コンテンツのそれぞれに予め設定された抽選確率に基づき、前記複数コンテンツの中から抽選したコンテンツを前記ユーザに付与する抽選手段であって、前記複数コンテンツの中から特定コンテンツを抽選する場合には、前記特定コンテンツと同一のコンテンツが対応付けられたユーザが抽選操作を行うと、予め設定された抽選確率を上昇させた後の抽選確率を用いて抽選を行うのに対して、前記特定コンテンツと同一のコンテンツが対応付けられていないユーザが抽選操作を行うと、予め設定された抽選確率を用いて抽選を行う抽選手段と、
を備えた情報処理装置。
【請求項２】
獲得されたコンテンツと獲得日時が各ユーザに対応付けて設定されたユーザ情報を記憶するユーザ情報記憶手段と、
ユーザの抽選操作に応答して、特定コンテンツを含む複数コンテンツのそれぞれに予め設定された抽選確率に基づき、前記複数コンテンツの中から抽選したコンテンツを前記ユーザに付与する抽選手段であって、前記複数コンテンツの中から特定コンテンツを抽選する場合には、獲得日時から所定期間が経過していない特定コンテンツが対応付けられたユーザが抽選操作を行うと、予め設定された抽選確率をその獲得日時から上昇させた後の抽選確率を用いて抽選を行うのに対して、獲得日時から所定期間が経過した特定コンテンツが対応付けられたユーザが抽選操作を行うと、予め設定された抽選確率を用いて抽選を行う抽選手段と、
を備えた情報処理装置。
【請求項３】
獲得されたコンテンツと獲得日時が各ユーザに対応付けて設定されたユーザ情報を記憶するユーザ情報記憶手段と、
ユーザの抽選操作に応答して、特定コンテンツを含む複数コンテンツのそれぞれに予め設定された抽選確率に基づき、前記複数コンテンツの中から抽選したコンテンツを前記ユーザに付与する抽選手段であって、前記複数コンテンツの中から特定コンテンツに関連付けられた他のコンテンツを抽選する場合には、獲得日時から所定期間が経過していない特定コンテンツが対応付けられたユーザが抽選操作を行うと、予め設定された抽選確率をその獲得日時から上昇させた後の抽選確率を用いて抽選を行うのに対して、獲得日時から所定期間が経過している特定コンテンツが対応付けられたユーザが抽選操作を行うと、予め設定された抽選確率を用いて抽選を行う抽選手段と、
を備えた情報処理装置。
【請求項４】
前記抽選手段は、特定コンテンツの上昇後の抽選確率及び獲得日時からの経過時間が表示された抽選画面において、獲得日時から所定期間が経過していない特定コンテンツが対応付けられたユーザに抽選操作を行わせる、
請求項２又は請求項３に記載の情報処理装置。
【請求項５】
コンピュータを、
獲得されたコンテンツが各ユーザに対応付けて設定されたユーザ情報を記憶するユーザ情報記憶手段、
ユーザの抽選操作に応答して、特定コンテンツを含む複数コンテンツのそれぞれに予め設定された抽選確率に基づき、前記複数コンテンツの中から抽選したコンテンツを前記ユーザに付与する抽選手段であって、前記複数コンテンツの中から特定コンテンツを抽選する場合には、前記特定コンテンツと同一のコンテンツが対応付けられたユーザが抽選操作を行うと、予め設定された抽選確率を上昇させた後の抽選確率を用いて抽選を行うのに対して、前記特定コンテンツと同一のコンテンツが対応付けられていないユーザが抽選操作を行うと、予め設定された抽選確率を用いて抽選を行う抽選手段、
として機能させるためのプログラム。
【請求項６】
コンピュータを、
獲得されたコンテンツと獲得日時が各ユーザに対応付けて設定されたユーザ情報を記憶するユーザ情報記憶手段、
ユーザの抽選操作に応答して、特定コンテンツを含む複数コンテンツのそれぞれに予め設定された抽選確率に基づき、前記複数コンテンツの中から抽選したコンテンツを前記ユーザに付与する抽選手段であって、前記複数コンテンツの中から特定コンテンツを抽選する場合には、獲得日時から所定期間が経過していない特定コンテンツが対応付けられたユーザが抽選操作を行うと、予め設定された抽選確率をその獲得日時から上昇させた後の抽選確率を用いて抽選を行うのに対して、獲得日時から所定期間が経過した特定コンテンツが対応付けられたユーザが抽選操作を行うと、予め設定された抽選確率を用いて抽選を行う抽選手段、
として機能させるためのプログラム。
【請求項７】
コンピュータを、
獲得されたコンテンツと獲得日時が各ユーザに対応付けて設定されたユーザ情報を記憶するユーザ情報記憶手段、
ユーザの抽選操作に応答して、特定コンテンツを含む複数コンテンツのそれぞれに予め設定された抽選確率に基づき、前記複数コンテンツの中から抽選したコンテンツを前記ユーザに付与する抽選手段であって、前記複数コンテンツの中から特定コンテンツに関連付けられた他のコンテンツを抽選する場合には、獲得日時から所定期間が経過していない特定コンテンツが対応付けられたユーザが抽選操作を行うと、予め設定された抽選確率をその獲得日時から上昇させた後の抽選確率を用いて抽選を行うのに対して、獲得日時から所定期間が経過している特定コンテンツが対応付けられたユーザが抽選操作を行うと、予め設定された抽選確率を用いて抽選を行う抽選手段、
として機能させるためのプログラム。
【手続補正書】
【提出日】令和2年6月24日(2020.6.24)
【手続補正１】
【補正対象書類名】特許請求の範囲
【補正対象項目名】全文
【補正方法】変更
【補正の内容】
【特許請求の範囲】
【請求項１】
前後方向と、
前記前後方向に直交する幅方向と、
着用者の肌とは反対側に向けられる裏面シートと、
前記裏面シートの非肌面側に設けられた粘着部と、を有する吸収性物品であって、
前記裏面シートの非肌面側に、前記吸収性物品の外縁よりも内側に配置されたテープ部材をさらに有し、
前記テープ部材は、粘着剤を有しておらず、前記吸収性物品を丸めた状態に維持するように構成されている、吸収性物品。
【請求項２】
使用時に着用物品のクロッチ部の非肌面側に折り返されるウイングと、前記ウイングよりも後方で前記幅方向の外側へ膨らんだヒップフラップと、を有し、
前記粘着部は、前記ウイングに設けられたウイング粘着部と、前記ヒップフラップに設けられたフラップ粘着部と、を有し、
前記前後方向における前記ウイング粘着部と前記フラップ粘着部の間には、前記幅方向に沿って延びた少なくとも２つの折り線が設けられている、請求項１に記載の吸収性物品。
【請求項３】
前後方向と、
前記前後方向に直交する幅方向と、
着用者の肌とは反対側に向けられる裏面シートと、
前記裏面シートの非肌面側に設けられた粘着部と、
使用時に着用物品のクロッチ部の非肌面側に折り返されるウイングと、
前記ウイングよりも後方で前記幅方向の外側へ膨らんだヒップフラップと、を有する吸収性物品であって、
前記裏面シートの非肌面側に、前記吸収性物品の外縁よりも内側に配置されたテープ部材をさらに有し、
前記テープ部材は、前記吸収性物品を丸めた状態に維持するよう構成されており、
前記粘着部は、前記ウイングに設けられたウイング粘着部と、前記ヒップフラップに設けられたフラップ粘着部と、を有し、
前記前後方向における前記ウイング粘着部と前記フラップ粘着部の間には、前記幅方向に沿って延びた少なくとも２つの折り線が設けられている、吸収性物品。
【請求項４】
着用者の排泄口と対向する領域よりも後方で前記幅方向の外側へ膨らんだヒップフラップを有し、
前記ヒップフラップと重なる領域において前記幅方向に沿って延びる折り線を有し、
前記テープ部材は、前記ヒップフラップと重なる領域に設けられた折り線よりも後側に設けられている、請求項１から請求項３いずれか１項に記載の吸収性物品。
【請求項５】
前記裏面シートの、前記テープ部材に接する面が、静電気防止処理されている、請求項１から請求項４のいずれか１項に記載の吸収性物品。
【請求項６】
前記幅方向に沿って延びた少なくとも２つの折り線を有し、
前記テープ部材は、前記折り線のうちの最も前側の折り線よりも前側、又は最も後側の折り線よりも後側に設けられている、請求項１から請求項５のいずれか１項に記載の吸収性物品。
【請求項７】
前記テープ部材は、前記前後方向における前記吸収性物品の縁から、前記前後方向における前記吸収性物品の長さの１／３の長さの範囲内に設けられている、請求項１から請求項６のいずれか１項に記載の吸収性物品。
【請求項８】
前記テープ部材は、前記前後方向における前記吸収性物品の縁から、前記前後方向における前記吸収性物品の長さの１５％の長さの範囲内に設けられている、請求項３に記載の吸収性物品。
【請求項９】
前記テープ部材は、前記吸収性物品の前側縁よりも前側、又は前記吸収性物品の後側縁よりも後側に、延出可能に構成されている、請求項１から８のいずれか１項に記載の吸収性物品。
【請求項１０】
前記粘着部は、前記テープ部材を前記前後方向に延長した仮想線上に設けられている、請求項９に記載の吸収性物品。
【請求項１１】
前記粘着部は、前記幅方向に間隔をあけて複数設けられており、
前記幅方向における前記テープ部材の幅は、前記幅方向における前記粘着部どうしの間隔より大きい、請求項９又は１０に記載の吸収性物品。
【請求項１２】
着用者の排泄口と対向する領域よりも後方で前記幅方向の外側へ膨らんだヒップフラップを有し、
前記テープ部材は前記ヒップフラップに設けられており、
前記テープ部材は、前記幅方向における前記ヒップフラップの外側縁よりも外側に延出可能に構成されている、請求項１から１１のいずれか１項に記載の吸収性物品。
【請求項１３】
前記粘着部は、前記前後方向に間隔をあけて設けられており、
前記前後方向における前記テープ部材の幅は、前記前後方向における前記粘着部どうしの間隔より大きい、請求項１２に記載の吸収性物品。
【請求項１４】
前記粘着部の少なくとも一部は、前記テープ部材よりも前側に設けられている、請求項１２又は１３に記載の吸収性物品。
【請求項１５】
前記粘着部の少なくとも一部は、前記前後方向における前記吸収性物品の両縁のうち前記テープ部材に近い方の縁から、前記前後方向における前記吸収性物品の長さの２／３の長さの範囲に設けられている、請求項１から１４のいずれか１項に記載の吸収性物品。
【請求項１６】
前記粘着部の少なくとも一部は、前記前後方向における前記吸収性物品の両縁のうち前記テープ部材に近い方の縁から、前記前後方向における前記吸収性物品の長さの４／５の長さの範囲に設けられている、請求項１５に記載の吸収性物品。
【請求項１７】
前記テープ部材は前記吸収性物品の非肌面に固定された固定部を有しており、
延出方向における前記テープ部材の先端部は、前記固定部とは反対側に向けられている、請求項１から１６のいずれか１項に記載の吸収性物品。
【請求項１８】
前記裏面シートよりも肌面側に設けられた吸収体を有し、
前記テープ部材は前記吸収性物品の非肌面に固定された固定部を有しており、
前記固定部の少なくとも一部は、前記吸収体と厚み方向に重なっている、請求項１から１７のいずれか１項に記載の吸収性物品。
【請求項１９】
前記裏面シートよりも肌面側に設けられた吸収体を有し、
前記テープ部材は、前記吸収体に形成されたエンボス又は前記吸収体に設けられた低目付領域と厚み方向に重なっている、請求項１から１８のいずれか１項に記載の吸収性物品。
【請求項２０】
前記テープ部材は前記吸収性物品の非肌面に固定された固定部を有しており、
前記テープ部材の少なくとも前記固定部を除く領域は、前記粘着部と重ならない位置に設けられている、請求項１から１９のいずれか１項に記載の吸収性物品。
【手続補正書】
【提出日】令和1年11月27日(2019.11.27)
【手続補正１】
【補正対象書類名】特許請求の範囲
【補正対象項目名】全文
【補正方法】変更
【補正の内容】
【特許請求の範囲】
【請求項１】
役物内部に進入した遊技媒体が第１の通過口を通過したことを検出する第１検出手段と、
前記第１の通過口とは異なる第２の通過口を通過したことを検出する第２検出手段と、を備え、
前記第１の通過口を通過した遊技媒体が前記第２の通過口を通過することが可能とされた遊技機であって、
前記第２の通過口を通過したことに基づいて、有利な遊技状態の付与に関する処理が行われるようになされており、
前記第１検出手段による検出がされていないにもかかわらず前記第２検出手段による検出がされた場合、エラー報知処理を実行可能とした
ことを特徴とする遊技機。
【手続補正２】
【補正対象書類名】明細書
【補正対象項目名】０００７
【補正方法】変更
【補正の内容】
【０００７】
前記目的を達成するため、本発明は、役物内部に進入した遊技媒体が第１の通過口を通過したことを検出する第１検出手段と、前記第１の通過口とは異なる第２の通過口を通過したことを検出する第２検出手段と、を備え、前記第１の通過口を通過した遊技媒体が前記第２の通過口を通過することが可能とされた遊技機であって、前記第２の通過口を通過したことに基づいて、有利な遊技状態の付与に関する処理が行われるようになされており、前記第１検出手段による検出がされていないにもかかわらず前記第２検出手段による検出がされた場合、エラー報知処理を実行可能としたことを特徴とする遊技機。
【手続補正書】
【提出日】令和1年11月27日(2019.11.27)
【手続補正１】
【補正対象書類名】特許請求の範囲
【補正対象項目名】全文
【補正方法】変更
【補正の内容】
【特許請求の範囲】
【請求項１】
遊技媒体が打出される遊技領域と、
前記遊技領域にある特定領域に前記遊技媒体が通過したことに基づいて、有利な遊技状態を付与するか否かの抽選を実行する抽選手段と、を備えた遊技機であって、
前記遊技領域にあって前記特定領域の上側にある特別領域において前記遊技媒体が転動することを可能とし、当該特別領域には、前記遊技媒体を前記特定領域に導き易い第１領域と、前記遊技媒体の転動状況によっては当該第１領域に向かわせないこととなる第２領域が含まれており、
前記第２領域において前記第１領域に向かっていない転動状況にある前記遊技媒体の転動速度および転動方向に変化を与えることを可能としており、
前記第２領域において前記第１領域に向かっていない転動状況にある前記遊技媒体の転動速度および転動方向に変化を与えることで、前記第２領域において前記第１領域に向かっていない転動状況にある前記遊技媒体を前記第１領域に導かれうるようにした
ことを特徴とする遊技機。
【手続補正２】
【補正対象書類名】明細書
【補正対象項目名】０００７
【補正方法】変更
【補正の内容】
【０００７】
前記目的を達成するため、本発明は、遊技媒体が打出される遊技領域と、前記遊技領域にある特定領域に前記遊技媒体が通過したことに基づいて、有利な遊技状態を付与するか否かの抽選を実行する抽選手段と、を備えた遊技機であって、前記遊技領域にあって前記特定領域の上側にある特別領域において前記遊技媒体が転動することを可能とし、当該特別領域には、前記遊技媒体を前記特定領域に導き易い第１領域と、前記遊技媒体の転動状況によっては当該第１領域に向かわせないこととなる第２領域が含まれており、前記第２領域において前記第１領域に向かっていない転動状況にある前記遊技媒体の転動速度および転動方向に変化を与えることを可能としており、前記第２領域において前記第１領域に向かっていない転動状況にある前記遊技媒体の転動速度および転動方向に変化を与えることで、前記第２領域において前記第１領域に向かっていない転動状況にある前記遊技媒体を前記第１領域に導かれうるようにしたことを特徴とする遊技機。
【手続補正書】
【提出日】令和2年3月6日(2020.3.6)
【手続補正１】
【補正対象書類名】特許請求の範囲
【補正対象項目名】全文
【補正方法】変更
【補正の内容】
【特許請求の範囲】
【請求項１】
遊技媒体が打出される遊技領域と、
前記遊技領域にある特定領域に前記遊技媒体が通過したことに基づいて、有利な遊技状態を付与するか否かの抽選を実行する抽選手段と、を備えた遊技機であって、
前記遊技領域にあって前記特定領域の上側にある特別領域において前記遊技媒体が転動することを可能とし、当該特別領域には、前記遊技媒体を前記特定領域に導き易い第１領域と、前記遊技媒体の転動状況によっては当該第１領域に向かわせないこととなる第２領域が含まれており、
前記第２領域において前記第１領域に向かっていない転動状況にある前記遊技媒体の転動速度および転動方向に変化を与えることを可能としており、
前記第２領域において前記第１領域に向かっていない転動状況にある前記遊技媒体の転動速度および転動方向に変化を与えることで、前記第２領域において前記第１領域に向かっていない転動状況にある前記遊技媒体を前記第１領域に導かれうるようにされており、
前記第１領域を転動した前記遊技媒体は前記特定領域に導き易くされている一方、前記第１領域を転動しない前記遊技媒体は前記特定領域に導き易くされていないものの前記特定領域の近傍を前記遊技媒体が転動することを可能とした
ことを特徴とする遊技機。
【手続補正２】
【補正対象書類名】明細書
【補正対象項目名】０００２
【補正方法】変更
【補正の内容】
【０００２】
従来、一般的な遊技機では、遊技球が所定の通過口（いわゆる始動口）を通過することに基づいて当落に関する抽選を行っている。
【手続補正３】
【補正対象書類名】明細書
【補正対象項目名】０００３
【補正方法】変更
【補正の内容】
【０００３】
そのため、所定の通過口を遊技球が通過するか否かが鍵を握る遊技性となっており、例えば特許文献１のように、所定の通過口へ遊技球が導かれるまでの過程において工夫が施された遊技機も知られている。
【手続補正４】
【補正対象書類名】明細書
【補正対象項目名】０００４
【補正方法】削除
【補正の内容】
【手続補正５】
【補正対象書類名】明細書
【補正対象項目名】０００５
【補正方法】変更
【補正の内容】
【０００５】
【特許文献１】特開２０１３−０５９５５４号公報
【手続補正６】
【補正対象書類名】明細書
【補正対象項目名】０００６
【補正方法】変更
【補正の内容】
【０００６】
しかしながら、従来の遊技機では十分に満足できず、所定の通過口へ遊技球が導かれるまでの過程においてさらなる工夫を求めている遊技者も少なからず存在している。
【手続補正７】
【補正対象書類名】明細書
【補正対象項目名】０００７
【補正方法】変更
【補正の内容】
【０００７】
そこで、本発明は、このような遊技者の要望に応え得る遊技機を提供することを目的とする。
【手続補正８】
【補正対象書類名】明細書
【補正対象項目名】０００８
【補正方法】変更
【補正の内容】
【０００８】
前記目的を達成するため、本発明は、遊技媒体が打出される遊技領域と、前記遊技領域にある特定領域に前記遊技媒体が通過したことに基づいて、有利な遊技状態を付与するか否かの抽選を実行する抽選手段と、を備えた遊技機であって、前記遊技領域にあって前記特定領域の上側にある特別領域において前記遊技媒体が転動することを可能とし、当該特別領域には、前記遊技媒体を前記特定領域に導き易い第１領域と、前記遊技媒体の転動状況によっては当該第１領域に向かわせないこととなる第２領域が含まれており、前記第２領域において前記第１領域に向かっていない転動状況にある前記遊技媒体の転動速度および転動方向に変化を与えることを可能としており、前記第２領域において前記第１領域に向かっていない転動状況にある前記遊技媒体の転動速度および転動方向に変化を与えることで、前記第２領域において前記第１領域に向かっていない転動状況にある前記遊技媒体を前記第１領域に導かれうるようにされており、前記第１領域を転動した前記遊技媒体は前記特定領域に導き易くされている一方、前記第１領域を転動しない前記遊技媒体は前記特定領域に導き易くされていないものの前記特定領域の近傍を前記遊技媒体が転動することを可能としたことを特徴とする遊技機。
【手続補正９】
【補正対象書類名】明細書
【補正対象項目名】０００９
【補正方法】変更
【補正の内容】
【０００９】
本発明によれば、所定の通過口を遊技球が通過するか否かの期待感を高め得る遊技機を提供することができる。
【手続補正書】
【提出日】令和2年6月22日(2020.6.22)
【手続補正１】
【補正対象書類名】特許請求の範囲
【補正対象項目名】全文
【補正方法】変更
【補正の内容】
【特許請求の範囲】
【請求項１】
被検者を支持し、前記被検者の一部である被検体を挿入する開口部が設けられた支持部と、
前記開口部から挿入された前記被検体を保持する被検体保持部と、
前記被検体から発生する音響波を受信して電気信号を出力する探触子を含み、前記被検体保持部と距離をおいて配置された探触子アレイと、
前記被検体の荷重による前記被検体保持部の変形量に対応し、前記支持部と前記被検体保持部との間に生ずる荷重を取得する荷重取得部と、
前記被検体保持部と前記探触子アレイが接触するときの前記被検体保持部の変形量と荷重面積とに基づいて決定される第１の荷重基準値を記憶する記憶部と、
前記荷重を、前記第１の荷重基準値と比較する比較判断部と、
前記比較判断部により前記荷重が前記第１の荷重基準値を超えたと判断された場合、インターロック制御を行うインターロック制御部と、
を有することを特徴する音響波イメージング装置。
【請求項２】
前記探触子アレイと前記被検体の相対位置を変化させる位置制御部をさらに有し、
前記インターロック制御部は、前記位置制御部による前記相対位置の変化を中止させることにより前記インターロック制御を行う
ことを特徴とする請求項１に記載の音響波イメージング装置。
【請求項３】
前記荷重取得部は、前記被検者の重量による前記被検体保持部への荷重を検出する荷重検出器を有し、前記荷重検出器から出力された荷重強度信号に基づいて荷重を取得する
ことを特徴とする請求項１または２に記載の音響波イメージング装置。
【請求項４】
複数の前記荷重検出器をさらに有し、
前記荷重は、前記複数の荷重検出器から出力された荷重を加算した値である
ことを特徴とする請求項３に記載の音響波イメージング装置。
【請求項５】
前記複数の荷重検出器それぞれから出力された荷重に基づいて、前記被検者に対してどのように体位を変更するかを提示する提示部をさらに有する
ことを特徴とする請求項４に記載の音響波イメージング装置。
【請求項６】
前記被検体保持部の変形量に対応して前記被検体保持部と前記支持部との間に生ずる荷重は、当該荷重を測定するための工具により取得される
ことを特徴とする請求項３ないし５のいずれか１項に記載の音響波イメージング装置。
【請求項７】
前記探触子アレイは、前記被検体と前記探触子の音響インピーダンスを整合させる音響マッチング液を保持できるものであり、
前記荷重取得部は、前記荷重として前記音響マッチング液の水位を検出する水位センサを有し、前記水位センサから出力された水位信号に基づいて荷重を推定する
ことを特徴とする請求項１または２に記載の音響波イメージング装置。
【請求項８】
提示部をさらに有し、
前記比較判断部は、前記荷重を、前記第１の荷重基準値よりも小さい第２の荷重基準値と比較し、
前記インターロック制御部は、前記比較判断部により前記荷重が前記第２の荷重基準値を超えたと判断された場合、前記提示部にワーニングを出力させる
ことを特徴とする請求項１ないし３のいずれか１項に記載の音響波イメージング装置。
【請求項９】
提示部をさらに有し、
前記比較判断部は、前記荷重を、前記第１の荷重基準値よりも小さい第３の荷重基準値と比較し、
前記インターロック制御部は、前記比較判断部により前記荷重が前記第３の荷重基準値以下と判断された場合、前記提示部に前記被検体がセットされていないことを出力させることを特徴とする請求項１ないし３のいずれか１項に記載の音響波イメージング装置。
【請求項１０】
前記記憶部は、前記荷重と前記被検体保持部の変形の関係を、テーブルまたは数式として記憶する
ことを特徴とする請求項１ないし９のいずれか１項に記載の音響波イメージング装置。
【請求項１１】
前記荷重と前記被検体保持部の変形の関係は、前記荷重面積に応じて複数設定される
ことを特徴とする請求項１０に記載の音響波イメージング装置。
【請求項１２】
前記インターロック制御部は、前記インターロック制御を行ったのち、前記荷重が前記第１の荷重基準値を下回った場合は、前記インターロック制御を解除する
ことを特徴とする請求項１ないし１１のいずれか１項に記載の音響波イメージング装置。
【請求項１３】
前記被検体保持部は、メッシュ部材とシート部材からなり、前記被検体を保持することにより変形する
ことを特徴とする請求項１ないし１２のいずれか１項に記載の音響波イメージング装置。
【請求項１４】
光源をさらに有し、
前記被検体から発生する前記音響波は、前記光源から前記被検体に光が照射されたときに発生する光音響波である
ことを特徴とする請求項１ないし１３のいずれか１項に記載の音響波イメージング装置。
【請求項１５】
前記インターロック制御部は、前記インターロック制御として、前記光の照射を中止させる
ことを特徴とする請求項１４に記載の音響波イメージング装置。
【請求項１６】
前記被検体から発生する前記音響波は、前記探触子から送信され、前記被検体で反射したエコー波である
ことを特徴とする請求項１ないし１３のいずれか１項に記載の音響波イメージング装置。
【請求項１７】
前記電気信号を用いて前記被検体の特性情報を生成する画像構成部をさらに備える
ことを特徴とする請求項１ないし１６のいずれか１項に記載の音響波イメージング装置。
【請求項１８】
被検者を支持し、前記被検者の一部である被検体を挿入する開口部が設けられた支持部と、前記開口部から挿入された前記被検体を保持する被検体保持部と、探触子を含み、前記被検体保持部と距離をおいて配置された探触子アレイと、荷重取得部と、比較判断部と、インターロック制御部と、を有する音響波イメージング装置の制御方法であって、
前記探触子が、前記被検体から発生する音響波を受信して電気信号を出力するステップと、
前記荷重取得部が、前記被検体の荷重による前記被検体保持部の変形に対応する荷重を取得するステップと、
前記比較判断部が、前記荷重を、前記被検体保持部と前記探触子アレイが接触するときの前記荷重に基づいて決定される第１の荷重基準値と比較するステップと、
前記インターロック制御部が、前記比較判断部により前記荷重が前記第１の荷重基準値を超えたと判断された場合、インターロック制御を行うステップと、
を有することを特徴する音響波イメージング装置の制御方法。
【請求項１９】
前記音響波イメージング装置は、画像構成部をさらに有し、
前記画像構成部が、前記電気信号を用いて前記被検体の特性情報を生成するステップをさらに有する
ことを特徴とする請求項１８に記載の音響波イメージング装置の制御方法。
【手続補正書】
【提出日】令和2年9月8日(2020.9.8)
【手続補正１】
【補正対象書類名】特許請求の範囲
【補正対象項目名】全文
【補正方法】変更
【補正の内容】
【特許請求の範囲】
【請求項１】
被験体から採取された皮膚表上脂質から核酸を分離することを含む、被験体の皮膚細胞に由来する核酸の調製方法であって、該核酸がＲＮＡであり、かつ表皮、皮脂腺、毛包および汗腺の全ての部位由来の核酸を含む、方法。
【請求項２】
前記核酸が細菌又は真菌に由来する核酸をさらに含む、請求項１記載の方法。
【請求項３】
前記被験体が、皮膚における遺伝子発現解析、または皮膚もしくは皮膚以外の部位の状態の解析を必要とするかまたは希望する、ヒトまたは非ヒト哺乳動物である、請求項１又は２記載の方法。
【請求項４】
前記被験体の皮膚表上脂質を採取することをさらに含み、該採取が、皮膚表上脂質吸収性素材、皮膚表上脂質接着性素材、または皮膚から皮膚表上脂質脂質をこすり落とす器具を使用して行われる、請求項１〜３のいずれか１項記載の方法。
【請求項５】
請求項１〜４のいずれか１項記載の方法で調製した核酸を解析することを含む、核酸の解析方法。
【請求項６】
前記解析が、皮膚に関する遺伝子発現解析およびその他の遺伝子情報の解析、被験体の皮膚に関する機能解析、被験体の皮膚状態の解析、または被験体の皮膚以外の部位または全身の状態の解析である、請求項５記載の方法。
【請求項７】
所定の疾患もしくは状態またはそのリスクを有する集団を被験体として、請求項１〜４のいずれか１項記載の方法により核酸を調製すること、
調製された核酸の発現を対照と比較すること、
を含む、該所定の疾患もしくは状態の核酸マーカーの選択方法。
【請求項８】
請求項１〜４のいずれか１項記載の方法により被験体の核酸を調製すること、
調製された核酸から、所定の疾患もしくは状態の核酸マーカーを検出すること、
を含む、所定の疾患もしくは状態の核酸マーカーの検出方法。
【手続補正書】
【提出日】令和1年11月22日(2019.11.22)
【手続補正１】
【補正対象書類名】特許請求の範囲
【補正対象項目名】全文
【補正方法】変更
【補正の内容】
【特許請求の範囲】
【請求項１】
ユーザが所持する所持キャラクタを記憶する記憶部と、
キャラクタの進化後キャラクタを追加する更新によって、前記進化後キャラクタが追加された前記キャラクタと同一の所持キャラクタについて、進化可能になったことを通知する通知画面であって、進化可能になった前記同一の所持キャラクタを進化させるための操作領域を含む通知画面を表示する表示部と、
を備える情報処理装置。
【請求項２】
ユーザが所持する所持キャラクタを記憶する記憶部と、
キャラクタの進化後キャラクタを追加する更新によって、前記進化後キャラクタが追加された前記キャラクタと同一の所持キャラクタについて、新たな進化後キャラクタが追加されたことを通知する通知画面であって、前記同一の所持キャラクタを進化させるための操作領域を含む通知画面を表示する表示部と、
を備える情報処理装置。
【請求項３】
コンピュータを、
ユーザが所持する所持キャラクタを記憶する記憶手段、
キャラクタの進化後キャラクタを追加する更新によって、前記進化後キャラクタが追加された前記キャラクタと同一の所持キャラクタについて、進化可能になったことを通知する通知画面であって、進化可能になった前記同一の所持キャラクタを進化させるための操作領域を含む通知画面を表示する表示手段、
として機能させるためのプログラム。
【請求項４】
コンピュータを、
ユーザが所持する所持キャラクタを記憶する記憶手段、
キャラクタの進化後キャラクタを追加する更新によって、前記進化後キャラクタが追加された前記キャラクタと同一の所持キャラクタについて、新たな進化後キャラクタが追加されたことを通知する通知画面であって、前記同一の所持キャラクタを進化させるための操作領域を含む通知画面を表示する表示手段、
として機能させるためのプログラム。
【手続補正書】
【提出日】令和2年2月28日(2020.2.28)
【手続補正１】
【補正対象書類名】特許請求の範囲
【補正対象項目名】全文
【補正方法】変更
【補正の内容】
【特許請求の範囲】
【請求項１】
所定条件の成立に基づいて識別情報を変動表示する識別情報表示手段と、
前記識別情報の変動表示に伴って遊技演出を実行可能な遊技演出実行手段と、
前記識別情報の変動表示の結果が特定結果となると特別遊技を実行する特別遊技実行手段と、を備えた遊技機であって、
前記遊技演出の演出態様として、特定演出態様を含む複数の演出態様を有すると共に、前記複数の演出態様は表示態様が異なる演出態様とされ、
前記特定演出態様の実行条件として複数の実行条件を有し、
前記遊技演出実行手段は、何れの実行条件が成立した場合にも前記特定演出態様を実行することを特徴とする遊技機。
【請求項２】
前記特定演出態様を実行するかどうかを決定する実行判定を行う特定演出態様判定手段と、
前記特定演出態様判定手段が前記実行判定を行う時期を決定する時期判定を行う時期判定手段と、を備え、
前記実行条件として、第１実行条件を有し、
前記第１実行条件は、前記時期判定手段が決定した時期に行われる実行判定において、前記特定演出態様を実行すると判定することによって成立することを特徴とする請求項１に記載の遊技機。
【請求項３】
前記実行条件として、第２実行条件を有し、
前記第２実行条件は、所定時期から、特定回数の前記識別情報の変動表示を実行することによって成立することを特徴とする請求項２に記載の遊技機。
【手続補正２】
【補正対象書類名】明細書
【補正対象項目名】０００７
【補正方法】変更
【補正の内容】
【０００７】
このような遊技機によれば、識別情報の変動表示に伴って遊技演出を実行する遊技演出実行手段を備え、遊技演出の演出態様として、特定演出態様を含む、表示態様の異なる複数の演出態様を有している。また、特定演出態様を実行する実行条件として、複数の実行条件を有しており、何れの実行条件が成立した場合にも特定演出態様を実行するものとしている。これにより、特定演出態様への移行パターンが多様化し、特定演出態様の実行可能性を高めると共に、特定演出態様の実行時期を遊技者が予測困難とすることが可能となる。またこれにより、遊技興趣を高めることが可能となる。
また、第２発明の遊技機は、第１発明の遊技機において、
前記特定演出態様を実行するかどうかを決定する実行判定を行う特定演出態様判定手段と、
前記特定演出態様判定手段が前記実行判定を行う時期を決定する時期判定を行う時期判定手段と、を備え、
前記実行条件として、第１実行条件を有し、
前記第１実行条件は、前記時期判定手段が決定した時期に行われる実行判定において、前記特定演出態様を実行すると判定することによって成立することを特徴とするものである。
このような遊技機によれば、特定演出態様を実行するかどうかを決定する実行判定を行う特定演出態様判定手段と、実行判定を行う時期を決定する時期判定を行う時期判定手段と、を備えている。また、特定演出態様を実行するかどうかの実行判定と、実行判定を行う時期を決定する時期判定とを設け、特定演出態様を実行する（開始する）契機となる第１実行条件を、時期判定で決定した時期に行われる実行判定で特定演出態様を実行すると判定することとする。これにより、特定演出態様の実行時期を遊技者が予測困難とすることが可能となる。
また、第３発明の遊技機は、第２発明の遊技機において、
前記実行条件として、第２実行条件を有し、
前記第２実行条件は、所定時期から、特定回数の前記識別情報の変動表示を実行することによって成立することを特徴とするものである。
このような遊技機によれば、特定演出態様を実行する契機となる第２実行条件を、所定時期から特定回数の識別情報の変動表示を実行することとする。すなわち、所定時期から予め定められた回数の変動表示を実行すれば、実行判定で実行すると判定することがなくとも、特定演出態様を実行させることが可能となる。これにより、特定演出態様の実行可能性を高め、遊技興趣を高めることが可能となる。尚、識別情報の変動表示の回数の計数を開始する所定時期として、例えば、特別遊技を実行したときや特定乱数を取得したときや電源投入をしたとき等を挙げることができる。
【手続補正書】
【提出日】令和2年7月29日(2020.7.29)
【手続補正１】
【補正対象書類名】特許請求の範囲
【補正対象項目名】全文
【補正方法】変更
【補正の内容】
【特許請求の範囲】
【請求項１】
遊技者の操作によって遊技媒体が打込まれる遊技領域を備える遊技機において、
前記遊技領域は、通常遊技状態において遊技球が打込まれる第１遊技領域と、遊技者にとって通常遊技状態よりも有利な遊技状態において遊技球が打込まれる第２遊技領域とを含み構成され、
前記第２遊技領域は、遊技領域の上側を囲う外レールの下方に形成された遊技媒体の外形よりも若干大きい通路幅から成る幅狭部を通過した遊技媒体が打込まれるようにされており、
前記幅狭部を通過した遊技媒体が前記第２遊技領域へ至るまでに第１流路または第２流路のいずれか一方の流路を流下するように、前記第１流路および前記第２流路の上流側には遊技媒体の流下方向を分岐させる分岐部が設けられ、
前記第１流路と前記第２流路は流下しはじめた流路から他方の流路に遊技媒体が混流しないように仕切部によって仕切られており、
前記仕切部は、少なくとも仕切り幅が異なる第１仕切部と第２仕切部を含み構成されている
ことを特徴とする遊技機。
【手続補正２】
【補正対象書類名】明細書
【補正対象項目名】０００７
【補正方法】変更
【補正の内容】
【０００７】
上記の目的を達成するため本発明は、請求項１に記載したように、
遊技者の操作によって遊技媒体が打込まれる遊技領域を備える遊技機において、
前記遊技領域は、通常遊技状態において遊技球が打込まれる第１遊技領域と、遊技者にとって通常遊技状態よりも有利な遊技状態において遊技球が打込まれる第２遊技領域とを含み構成され、
前記第２遊技領域は、遊技領域の上側を囲う外レールの下方に形成された遊技媒体の外形よりも若干大きい通路幅から成る幅狭部を通過した遊技媒体が打込まれるようにされており、
前記幅狭部を通過した遊技媒体が前記第２遊技領域へ至るまでに第１流路または第２流路のいずれか一方の流路を流下するように、前記第１流路および前記第２流路の上流側には遊技媒体の流下方向を分岐させる分岐部が設けられ、
前記第１流路と前記第２流路は流下しはじめた流路から他方の流路に遊技媒体が混流しないように仕切部によって仕切られており、
前記仕切部は、少なくとも仕切り幅が異なる第１仕切部と第２仕切部を含み構成されている遊技機を提供する。
【手続補正３】
【補正対象書類名】明細書
【補正対象項目名】０００８
【補正方法】削除
【補正の内容】
【手続補正書】
【提出日】令和2年2月28日(2020.2.28)
【手続補正１】
【補正対象書類名】特許請求の範囲
【補正対象項目名】全文
【補正方法】変更
【補正の内容】
【特許請求の範囲】
【請求項１】
所定条件の成立に基づいて識別情報を変動表示する識別情報表示手段と、
前記識別情報の変動表示に伴って遊技演出を実行可能な遊技演出実行手段と、
前記識別情報の変動表示の結果が特定結果となると特別遊技を実行する特別遊技実行手段と、を備えた遊技機であって、
前記遊技演出の演出態様として、特定演出態様を含む複数の演出態様を有すると共に、前記複数の演出態様は表示態様が異なる演出態様とされ、
前記特定演出態様を実行するかどうかを決定する実行判定を行う特定演出態様判定手段と、
前記特定演出態様判定手段が前記実行判定を行う時期を決定する時期決定手段と、
前記遊技演出実行手段が前記特定演出態様を実行した場合に前記特定演出態様を終了する特定演出態様終了手段と、を備え、
前記特定演出態様の実行条件として成立条件の異なる複数の実行条件を有すると共に、前記特定演出態様の終了条件として成立条件の異なる複数の終了条件を有し、
前記実行条件として、前記時期決定手段が決定した時期に行われる実行判定において、前記特定演出態様を実行すると判定することによって成立する実行条件と、前記特別遊技終了後に予め定めた特定回数の識別情報の変動表示が実行されることによって成立する実行条件と、を有するものであって、
前記特定演出態様は、成立した実行条件に対応して定められた終了条件が成立するまで、複数回の識別情報の変動表示に亘って実行可能である
ことを特徴とする遊技機。
【手続補正２】
【補正対象書類名】明細書
【補正対象項目名】０００６
【補正方法】変更
【補正の内容】
【０００６】
上述の課題を解決するための第１発明の遊技機は、
所定条件の成立に基づいて識別情報を変動表示する識別情報表示手段と、
前記識別情報の変動表示に伴って遊技演出を実行可能な遊技演出実行手段と、
前記識別情報の変動表示の結果が特定結果となると特別遊技を実行する特別遊技実行手段と、を備えた遊技機であって、
前記遊技演出の演出態様として、特定演出態様を含む複数の演出態様を有すると共に、前記複数の演出態様は表示態様が異なる演出態様とされ、
前記特定演出態様を実行するかどうかを決定する実行判定を行う特定演出態様判定手段と、
前記特定演出態様判定手段が前記実行判定を行う時期を決定する時期決定手段と、
前記遊技演出実行手段が前記特定演出態様を実行した場合に前記特定演出態様を終了する特定演出態様終了手段と、を備え、
前記特定演出態様の実行条件として成立条件の異なる複数の実行条件を有すると共に、前記特定演出態様の終了条件として成立条件の異なる複数の終了条件を有し、
前記実行条件として、前記時期決定手段が決定した時期に行われる実行判定において、前記特定演出態様を実行すると判定することによって成立する実行条件と、前記特別遊技終了後に予め定めた特定回数の識別情報の変動表示が実行されることによって成立する実行条件と、を有するものであって、
前記特定演出態様は、成立した実行条件に対応して定められた終了条件が成立するまで、複数回の識別情報の変動表示に亘って実行可能である
ことを特徴とするものである。
【手続補正書】
【提出日】令和2年2月28日(2020.2.28)
【手続補正１】
【補正対象書類名】特許請求の範囲
【補正対象項目名】全文
【補正方法】変更
【補正の内容】
【特許請求の範囲】
【請求項１】
所定条件の成立に基づいて識別情報を変動表示する識別情報表示手段と、
前記識別情報の変動表示に伴って遊技演出を実行可能な遊技演出実行手段と、
前記識別情報の変動表示の結果が特定結果となると特別遊技を実行する特別遊技実行手段と、を備えた遊技機であって、
遊技演出の演出態様として、第１特定演出態様と第２特定演出態様と通常演出態様とを含む複数の演出態様を有すると共に、前記複数の演出態様は表示態様が異なる演出態様とされ、
前記第１特定演出態様を実行するかどうかを決定する実行判定を行う特定演出態様判定手段と、
前記第１特定演出態様が実行される場合に、前記第１特定演出態様を他の演出態様に移行するかを決定する移行判定を行う移行判定手段と、を備え、
前記第１特定演出態様を実行後に、移行判定を行う移行期間とされ、
前記第１特定演出態様を実行中の前記移行期間において、
前記移行判定手段が演出態様を他の演出態様に移行しないと判定した場合、前記第１特定演出態様の実行を継続すると共に前記移行期間を継続し、
前記移行判定手段が演出態様を前記第２特定演出態様に移行すると判定した場合、前記第２特定演出態様を実行すると共に前記移行期間を継続し、
前記移行判定手段が演出態様を前記通常演出態様に移行すると判定した場合、前記通常演出態様を実行すると共に前記移行期間を終了する
ことを特徴とする遊技機。
【請求項２】
前記第２特定演出態様は、前記第１特定演出態様から移行可能とし、前記通常演出態様からは移行しないことを特徴とする請求項１に記載の遊技機。
【手続補正２】
【補正対象書類名】明細書
【補正対象項目名】０００６
【補正方法】変更
【補正の内容】
【０００６】
上述の課題を解決するための第１発明の遊技機は、
所定条件の成立に基づいて識別情報を変動表示する識別情報表示手段と、
前記識別情報の変動表示に伴って遊技演出を実行可能な遊技演出実行手段と、
前記識別情報の変動表示の結果が特定結果となると特別遊技を実行する特別遊技実行手段と、を備えた遊技機であって、
遊技演出の演出態様として、第１特定演出態様と第２特定演出態様と通常演出態様とを含む複数の演出態様を有すると共に、前記複数の演出態様は表示態様が異なる演出態様とされ、
前記第１特定演出態様を実行するかどうかを決定する実行判定を行う特定演出態様判定手段と、
前記第１特定演出態様が実行される場合に、前記第１特定演出態様を他の演出態様に移行するかを決定する移行判定を行う移行判定手段と、を備え、
前記第１特定演出態様を実行後に、移行判定を行う移行期間とされ、
前記第１特定演出態様を実行中の前記移行期間において、
前記移行判定手段が演出態様を他の演出態様に移行しないと判定した場合、前記第１特定演出態様の実行を継続すると共に前記移行期間を継続し、
前記移行判定手段が演出態様を前記第２特定演出態様に移行すると判定した場合、前記第２特定演出態様を実行すると共に前記移行期間を継続し、
前記移行判定手段が演出態様を前記通常演出態様に移行すると判定した場合、前記通常演出態様を実行すると共に前記移行期間を終了する
ことを特徴とするものである。
【手続補正３】
【補正対象書類名】明細書
【補正対象項目名】０００７
【補正方法】変更
【補正の内容】
【０００７】
このような遊技機によれば、識別情報の変動表示に伴って遊技演出を実行する遊技演出実行手段を備え、遊技演出の演出態様として、特定演出態様を含む、表示態様の異なる複数の演出態様を有している。また、特定演出態様を実行するかどうかを決定する実行判定を行う特定演出態様判定手段と、特定演出態様が実行された場合に特定演出態様と異なる他の演出態様に移行するかどうかを判定する移行判定手段と、を備えている。また、特定演出態様実行後の所定期間は移行判定を行わない非移行期間とされ、非移行期間経過後は移行判定を行う移行期間とされる。
また、第２発明の遊技機は、第１発明の遊技機において、
前記第２特定演出態様は、前記第１特定演出態様から移行可能とし、前記通常演出態様からは移行しないことを特徴とするものである。
【手続補正書】
【提出日】令和2年2月10日(2020.2.10)
【手続補正１】
【補正対象書類名】明細書
【補正対象項目名】００１０
【補正方法】変更
【補正の内容】
【００１０】
＜システムの構成＞
図１は本発明の一実施形態に係る計測システムＡの概要図である。計測システムＡは、一対のフォースプレート１Ｒおよび１Ｌと、計測ユニット２〜５と、処理装置６、表示装置７と、入力装置８とを含む。矢印Ｘ、矢印Ｙおよび矢印Ｚは、計測システムＡの試打席における三次元の座標系を示しており、フォースプレート１Ｒおよび１Ｌと、計測ユニット２〜４とはこの座標系に対応して設置される。矢印Ｘ、矢印Ｙは互いに直交する水平方向を示し、矢印Ｚは鉛直方向を示す。矢印Ｘはゴルフボールの飛球線方向に設定される。
【手続補正２】
【補正対象書類名】明細書
【補正対象項目名】００２６
【補正方法】変更
【補正の内容】
【００２６】
Ｓ５ではＳ４で設定した範囲内の計測データを用いてスイング解析を行う。スイング解析の内容は、例えば、スイング中にゴルファが発揮したエネルギと打撃に利用されたエネルギとの関係や、ゴルフクラブの軌道等、各種の解析を挙げることができる。解析結果は表示装置７に表示することもできる。以上により一単位の処理を終了する。
【手続補正３】
【補正対象書類名】明細書
【補正対象項目名】００２７
【補正方法】変更
【補正の内容】
【００２７】
＜スイング開始タイミングの特定例＞
図４を参照してＳ３におけるスイング開始タイミングの特定例について説明する。本実施形態では、フォースプレート１および計測ユニット２の計測結果に基づいてスイング開始タイミングを特定する。二種類の計測結果を利用することで、スイング開始タイミングの特定精度を向上することができる。特に、フォースプレート１の計測結果を利用することで、ワッグル等の影響を低減してスイング開始タイミングを特定することができる。
【手続補正４】
【補正対象書類名】明細書
【補正対象項目名】００２９
【補正方法】変更
【補正の内容】
【００２９】
図４（Ａ）において、時間ｔ０は計測の開始タイミングを示し、時間ｔｉはインパクトタイミングを示す。インパクトタイミングは、計測ユニット３の計測データから特定し、音圧が急激に高くなったタイミングをインパクトタイミングとすることができる。対象データは、時間ｔｉからＴ時間さかのぼった時間ｔ１までの計測データであり、換言すると、時間ｔ１から時間ｔｉまでの、フォースプレート１および計測ユニット２の各計測データをスイング開始タイミングの特定に用いる。時間Ｔは例えば数秒（例えば２秒）である。